(57)【要約】【課題】ＪＰＥＧ２０００に準拠した圧縮画像データの復号処理において２Ｋ４Ｋ間の切換時にノイズや画像の乱れを発生させることなく画像データを継ぎ目なく表示する。【解決手段】画像信号復号装置１は、ＪＰＥＧ−２０００  Ｐａｒｔ１準拠の圧縮画像データにおける４Ｋ規格データの復号を固定的に行う高解像度復号器３と、２Ｋ規格データの復号を固定的に行う低解像度復号器４と、少なくとも１フレーム分の画像データが一時的に格納可能な１フレームバッファ５，６と、４Ｋ画像データと２Ｋ画像データとを切り換えるスイッチＳＷ７とを備え、パケットヘッダＨＤ部分に記述されたフレームの解像度情報、またフレームを復号したときのエラー情報ＥＲＲ等といったフレームの状態を示す情報に応じて４Ｋ画像データ、２Ｋ画像データ、または予め用意された画像データの何れかを選択的に出力する。【選択図】図１
2006311327.tif 000002
【特許請求の範囲】
【請求項１】
低域フィルタ処理と高域フィルタ処理とを垂直方向及び／又は水平方向に施すウェーブレット変換を用いて圧縮されパケット化された圧縮画像データを入力し復号する画像信号復号装置において、
逆ウェーブレット変換によって上記圧縮画像データを復号して高解像度画像データとして出力する高解像度復号部と、
上記復号された少なくとも１フレーム分の高解像度画像データを一時記憶する第１の一時記憶部と、
逆ウェーブレット変換によって上記圧縮画像データを復号して上記高解像度画像データのサブバンド画像と同等の解像度である低解像度画像データとして出力する低解像度復号部と、
上記復号された少なくとも１フレーム分の低解像度画像データを一時記憶する第２の一時記憶部と、
上記低解像度画像データを補完して上記高解像度画像データと同等画像サイズを有する画像データを生成する補完処理部と、
上記高解像度データと上記低解像度データとを切り換える切換手段と、
画像データのフレームの状態を示す情報に応じて上記高解像度データ又は上記低解像度データの何れかを出力するように切換手段を切り換える切換制御部と
を備えることを特徴とする画像信号復号装置。
【請求項２】
予め用意された画像データが格納された表示画像記憶部を備え、
上記切換手段は、上記高解像度データ、上記低解像度データ、又は上記予め用意された画像データを切り換え、上記切換制御部は、画像データのフレームの状態を示す情報に応じて上記高解像度データ、上記低解像度データ又は上記予め用意された画像データの何れかを出力するように切換手段を切り換えることを特徴とする請求項１記載の画像信号復号装置。
【請求項３】
上記フレームの状態を示す情報は、上記パケットのヘッダ部分に記述された該フレームの解像度情報を含み、上記切換制御部は、該解像度情報が指定する解像度の画像データを復号する復号部を選択することを特徴とする請求項１記載の画像信号復号装置。
【請求項４】
上記フレームの状態を示す情報は、上記フレームを復号したときのエラー情報であり、上記切換制御部は、該エラー情報が閾値を超えたとき、上記高解像度復号部から上記低解像度復号部に切り換えることを特徴とする請求項１記載の画像信号復号装置。
【請求項５】
上記切換制御部は、上記高解像度復号部における復号時のエラー情報及び上記低解像度復号部における復号時のエラー情報がともに回復不能な場合、上記表示画像記憶部を選択することを特徴とする請求項４記載の画像信号復号装置。
【請求項６】
上記低解像度復号部で復号された画像データは、低解像度表示装置に出力され、上記高解像度表示部で復号された画像データは、高解像度表示装置に出力されることを特徴とする請求項１記載の画像信号復号装置。
【請求項７】
上記低解像度復号部で復号された画像データの状態を画像データとともに表示する処理を行う表示処理部を備え、上記低解像度復号部で復号された画像データ及び該画像データの状態を表示するデータを常に上記低解像度表示装置に出力することを特徴とする請求項６記載の画像信号復号装置。
【発明の詳細な説明】
【技術分野】
【０００１】
本発明は、画像信号復号装置に関し、特に、国際標準規格ＩＳＯ／ＩＥＣ  １５４４４−１として規定されているＪＰＥＧ２０００で符号化された画像データを復号する画像信号復号装置に関する。
【背景技術】
【０００２】
国際標準規格ＩＳＯ／ＩＥＣ（International Organization for Standardization / International Electro-technical Commission）によって規格化された次世代静止画符号化規格の  ＩＳＯ／ＩＥＣ  １５４４４−１は、高圧縮率、高解像度画像への対応、ビット深度が大きい画像に対する適応性、複数コンポーネントの圧縮が可能、可逆・非可逆圧縮が可能、画像プログレッション、解像度プログレッション、ランダムアクセス可能、強力なエラー耐性能力といった優位点を有している。また、その動画像版規格であるＭｏｔｉｏｎＪＰＥＧ−２０００は、上述のＪＰＥＧ２０００の優位点を継承しており、カムコーダ、監視カメラ、インターネット動画配信、遠隔医療用画像配信、テレビ会議等への応答が期待されている。
【０００３】
特に、実用例の１つとして、映画配給主要会社７社（ワーナー、ディズニー、２０世紀ＦＯＸ、ユニバーサル、パラマウント、ソニー・コロンビア、ＭＧＭ）で構成されるＤＣＩ（Digital Cinema Initiative）がＪＰＥＧ２０００  ｐａｒｔ１をデジタル化された映画コンテンツ（以下、デジタルシネマという。）の配信分野へ適用することを検討している。
【０００４】
ＪＰＥＧ２０００の大きな特徴として、階層化モード符号化がある。図２に示すように、上記のウェーブレット変換を低域（ＬＬ）成分に対して複数回繰り返すことにより、原画像から解像度が１／２×１／２の再生画像データ、１／４×１／４の再生画像データ、更には１／８×１／８の再生画像データを階層的に取り出すことができるという特徴である。ＪＰＥＧ２０００が階層化モード符号化であることを利用すれば、１つの圧縮画像データから４０９６画素×２０４８画素の高解像度のモニタ或いはスクリーンプロジェクタか、２０４８画素×１０２４画素の低解像度のモニタ或いはスクリーンプロジェクタの何れでも映像を提示できる。
【０００５】
４０９６画素×２０４８画素の高解像度画像データを４Ｋ規格（或いは単に４Ｋという。）、２０４８画素×１０２４画素の低解像度画像データを２Ｋ規格（或いは単に２Ｋという。）ということがある。但し、ＪＰＥＧ２０００は、階層化モード符号化であるため、高解像度のストリームには、低解像度のストリームも含まれている。
【０００６】
ＪＰＥＧ２０００の符号化コードストリームは、パケット化されておりパケットヘッダとパケット本体とからなり、各パケットのパケットヘッダには、データ長、符号化パス情報等が記述されている。ＪＰＥＧ２０００では、符号化コードストリームがパケット毎に管理されている。デコーダ（復号器）は、メインヘッダの中に記述された画像サイズを判別して、高解像度データか低解像度データかを切り換えることができる。例えば、デジタルシネマのアプリケーションでは、トレイラと呼ばれる次回作の予告編やＣＭが入ったストリームが低解像度（２Ｋ）で作成され、本編ストリームが高解像度（４Ｋ）で作成されていることがある。
【０００７】
そこで、従来のデジタルシネマ対応のデコーダは、２Ｋ−４Ｋを切り換える構成を備えている。図３は、従来のＭｏｔｉｏｎＪＰＥＧ−２０００規格準拠のデジタルシネマ用デコーダを説明する図である。
【０００８】
デジタルシネマ用画像再生装置１００は、ＭｏｔｉｏｎＪＰＥＧ−２０００規格に準じて符号化された圧縮画像データを入力して、復号するＪＰＥＧ２０００デコーダ１０１と、復号された画像データを表示する４Ｋモニタ１０２を備えている。また、２Ｋの画像データを入力した場合に、２Ｋ画像を高解像度の４Ｋモニタで表示可能とするために画像データを補完するアップサンプリング部１０３を備えている。そして、スイッチＳＷ１０４とＳＷ１０５のペアにより、パケットヘッダに記述された画像サイズ情報に応じて高解像度４Ｋの場合は（Ａ，Ｃ）を選択し、画像データを高解像度用モニタに映し出す。一方、画像サイズが低解像度２Ｋの場合には、ＳＷが（Ｂ，Ｄ）を選択し、アップサンプリング回路を通過してアップサンプリングされた画像データをやはり高解像度用モニタで映し出すようになっている。
【発明の開示】
【発明が解決しようとする課題】
【０００９】
ＪＰＥＧ２０００は階層化モード符号化であるため、高解像度のストリームには低解像度のストリームも含まれる。そのため、図３に示したデコーダ１００は、低解像度２Ｋ用のデコーダ１０３を備え、４Ｋの画像データがあった場合には、スイッチＳＷの組を切り換えて２Ｋ画像を補完して出力するようになっているが、低解像度から高解像度の切換時に画像ノイズ、画像乱れ、輪郭ぼけ等が発生する虞があった。
【００１０】
そこで本発明は、上述した従来の実情に鑑みて提案されたものであり、ＪＰＥＧ２０００に準拠した圧縮画像データの復号処理において、２Ｋ−４Ｋ間の解像度の切換時にノイズ、画像乱れ、輪郭ぼけ等を発生させることなく画像データを継ぎ目なく再生することができる画像信号復号装置を提供することを目的とする。
【課題を解決するための手段】
【００１１】
上述した目的を達成するために、本発明に係る画像信号復号装置は、低域フィルタ処理と高域フィルタ処理を垂直方向及び／又は水平方向に施すウェーブレット変換を用いて圧縮されパケット化された圧縮画像データを入力し復号する画像信号復号装置において、逆ウェーブレット変換によって圧縮画像データを復号し高解像度画像データとして出力する高解像度復号部と、復号された少なくとも１フレーム分の高解像度画像データを一時記憶する第１の一時記憶部と、逆ウェーブレット変換によって圧縮画像データを復号し高解像度画像データのサブバンド画像と同等の解像度である低解像度画像データとして出力する低解像度復号部と、復号された少なくとも１フレーム分の低解像度画像データを一時記憶する第２の一時記憶部と、低解像度画像データを補完して高解像度画像データと同等画像サイズを有する画像データを生成する補完処理部と、高解像度データと低解像度データとを切り換える切換手段と、画像データのフレームの状態を示す情報に応じて高解像度データと低解像度データの何れかを出力するように切換手段を切り換える切換制御部とを備える。
【００１２】
本発明に係る画像信号復号装置は、高解像度画像データ専用の復号部と低解像度画像データ専用の復号部を備えて、復号された画像データの少なくとも１フレーム分を一時記憶部に格納することにより、高解像度画像データと低解像度画像データを含む圧縮画像データを入力してこれを復号したとき、高解像度画像データと低解像度画像データを高解像度画像データと同等の画像サイズになるように補完して出力する場合との切り換えによる出力のタイムラグ等の影響を抑止できる。
【００１３】
また、本発明に係る画像信号復号装置は、予め用意された画像データが格納された表示画像記憶部を備えてもよい。この場合には、切換制御部が画像データのフレームの状態を示す情報に応じて高解像度データ、低解像度データ又は予め用意された画像データの何れを出力するかを切り換える。
【００１４】
フレームの状態を示す情報としては、パケットのヘッダ部分に記述された該フレームの解像度情報、フレームを復号したときのエラー情報が該当し、切換制御部は、ヘッダに指定された画像サイズに応じて、またエラー情報に応じて画像データの出力元を切り換える。そして、切換制御部は、高解像度復号部における復号時のエラー情報及び低解像度復号部における復号時のエラー情報がともに回復不能な場合には、表示画像記憶部を選択して予め用意された画像データを出力する。
【発明の効果】
【００１５】
本発明によれば、高解像度画像データと低解像度画像データの切換を継ぎ目なく行うことができ、高解像度と低解像度の両方の画像サイズ規格のフレームが含まれた圧縮画像データを視聴者によって違和感なく表示することができる。また、本発明に係る画像信号復号装置は、入力した圧縮画像データを高解像度復号部と低解像度復号部の両方で常に同時に復号することにより、高解像度復号部による復号時のエラーを低解像度復号部で復号された画像データを出力して補うことができるため、高解像度と低解像度の両方の画像サイズ規格のフレームが含まれた圧縮画像データを再生表示するときのエラー耐性が向上する。
【００１６】
更にまた、本発明によれば、高解像度復号部と低解像度復号部の何れの復号部でも復号できない場合が発生しても、表示画像記憶部に格納された画像データを提示することにより、万一復号処理に不具合があっても、視聴者の違和感を低減できる。
【発明を実施するための最良の形態】
【００１７】
本具体例では、低域フィルタ処理と高域フィルタ処理とを垂直方向及び／又は水平方向に施すウェーブレット変換を用いて圧縮されパケット化された圧縮画像データの一例として、ＪＰＥＧ２０００  Ｐａｒｔ１に準拠して圧縮された２４ピクチャ／秒に相当するデジタル化された映画コンテンツ（以下、デジタルシネマという。）の圧縮画像データを扱う場合について説明する。
【００１８】
ＪＰＥＧ２０００  Ｐａｒｔ１は、階層化モード符号化であるため、高解像度のストリームには低解像度のストリームも含まれる。そこで、デジタルシネマのアプリケーションでは、このＪＰＥＧ２０００の特性を生かして、トレイラと呼ばれる次回作の予告編や広告部分のストリームが２０４８画素×１０２４画素の低解像度の画像サイズで作成され、本編ストリームが４０９６画素×２０４８画素の高解像度の画像サイズで作成されている場合がある。この２０４８画素×１０２４画素の低解像度の画像サイズを２Ｋ規格といい、４０９６画素×２０４８画素の高解像度の画像サイズを４Ｋ規格という。本発明の具体例として示す画像信号復号装置は、圧縮画像データに含まれる２Ｋ規格と４Ｋ規格の画像データをシームレス（継ぎ目無く）に切り換えることを実現した。
【００１９】
以下、本発明の具体例として示す画像信号復号装置について、図面を参照して詳細に説明する。
【００２０】
本発明の具体例として示す画像信号復号装置１の基本構成を図１に示す。図１に示すように、画像信号復号装置１は、圧縮画像データを入力する入力端子２と、ＪＰＥＧ２０００  Ｐａｒｔ１準拠の復号器３，復号器４と、少なくとも１フレーム分の画像データが一時的に格納可能な１フレームバッファ５，６と、復号器３で復号された高解像度画像データと復号器４で復号された低解像度画像データとを切り換えるスイッチＳＷ７とを備えている。
【００２１】
ここで、復号器３は、ＪＰＥＧ２０００  Ｐａｒｔ１における高解像度で符号化されたストリームの復号専用として固定されているため、以下、高解像度復号器３という。また、復号器４は、低解像度のみで符号化されたストリーム、或いは高解像度で符号化されたストリームから低域成分としての低解像度部分を取り出した画像データの復号専用として固定されているため、以下、低解像度復号器４という。
【００２２】
画像信号復号装置１において高解像度復号器３で復号可能な画像データは、４０９６画素×２０４８画素の高解像度の画像サイズを有する、いわゆる４Ｋ規格で作成された画像データである。ＪＰＥＧ２０００は、階層化モード符号化であるため、高解像度のストリームには低解像度のストリームも含まれる。そのため、低解像度復号器４は、圧縮画像データが高解像度のストリームを含んでいても、１／２ダウンサンプリングされたサブバンド画像の解像度と同等の画像サイズである２Ｋ規格の画像データを復号することが可能になっている。
【００２３】
画像信号復号装置１は、高解像度復号器３で復号された高解像度画像データを外部に出力するための出力端子８と、低解像度復号器４で復号された低解像度画像データを外部に出力するための出力端子９とを備えている。本具体例では、出力端子８には、４Ｋ規格の画像サイズに適合したプロジェクタ２１が接続される。
【００２４】
デジタル化された映画コンテンツ（以下、デジタルシネマという。）の配信分野へ応用する本具体例では、プロジェクタとして説明しているが、プロジェクタの代わりに４Ｋ規格に適合したＬＣＤ（Liquid Crystal Display）、ＰＤＰ（Plasma Display Panel）等の表示装置であってもよい。
【００２５】
また、出力端子９には、２Ｋ規格に適合したモニタ２２が接続される。そのため、画像信号復号装置１は、スイッチＳＷ７によって低解像度画像データが選択された場合に、プロジェクタ２１で表示可能な画像データにするため、２Ｋ規格の画像データに対して０補完して４Ｋ規格の画像データを生成するアップサンプリングフィルタ１０を有する。
【００２６】
また、画像信号復号装置１は、予め用意された画像データが格納されたメモリ１１を備えている。このメモリ１１に格納された画像データは、スイッチＳＷに選択されたときに高解像度データ及び低解像度データに代わって外部に出力されるようになっている。メモリ１１が選択される場合は、例えば、高解像度復号器３、低解像度復号器４の両者における復号処理に不具合が生じて再生画像が寸断される自体が生じた場合などである。ここに用意される画像データの一例としては、“しばらくお待ちください”等の復旧中であることを伝えるメッセージ画像のデータがあげられる。背景画像があってその上に上述の文字が含まれた画像のデータであってもよい。
【００２７】
画像信号復号装置１は、更に低解像度復号器４で復号された画像データの状態（ステイタス）等をこの画像データとともに表示する処理を行う表示処理部としての、いわゆるオンスクリーンディスプレイ（ＯＳＤ：On Screen Display）処理部１２を備えている。画像信号復号装置１は、低解像度復号器４で復号された画像データ及びこの画像データの状態を表示するデータを常にモニタ２２に出力している。ＯＳＤ処理部１２は、オンオフが選択可能にある。ＯＳＤ処理をオフにすることで、２Ｋ規格のモニタ２２で、２Ｋ規格の再生を行うことができる。またここでは、ＯＳＤ処理部の代わりに、いわゆるキャラクタジェネレータを使用することもできる。
【００２８】
そして、上述した各構成は、制御部１３によって統括され制御されている。特に、制御部１３は、画像データのフレームが状態を示す情報等に応じて高解像度データ、低解像度データ、または予め用意された画像データの何れかを選択してプロジェクタ２１に出力するようにスイッチＳＷを切り換える。フレームの状態を示す情報としては、パケットヘッダ部分に記述されたフレームの解像度情報、またフレームを復号したときのエラー情報ＥＲＲ等があげられる。エラー情報ＥＲＲに対して閾値が与えられており、制御部１３は、この閾値を基準としてフレーム単位で復号器を切り換えることができる。制御部１３は、パケットヘッダＨＤ部分に記述された解像度情報に応じて、また復号器における復号処理で判明したエラー情報に応じて何れの復号器を通過した画像データを出力するかを選択する。
【００２９】
続いて、画像信号復号装置１の動作について説明する。ＪＰＥＧ−２０００  Ｐａｒｔ１に基づく、図示しない符号化装置において作成された圧縮画像データは、入力端子２で画像信号復号装置１に取り込まれ、高解像度復号器３及び低解像度復号器４に同時に送られる。高解像度復号器３は、圧縮画像データのうち４Ｋ規格で符号化されたストリームを復号する。復号された画像データは、１フレームバッファ５に一時的に格納される。また、低解像度復号器４は、２Ｋ規格で符号化されたストリームを復号するとともに、４Ｋ規格で符号化されたストリームに対しても、その低域成分であるサブバンド画像を取り出して復号する。復号された画像データは、１フレームバッファ６に一時的に格納される。低解像度復号器４で復号された２Ｋ規格の画像データは、１フレームバッファ６から出力されてアップサンプリングフィルタ１０において４Ｋ規格と同等の画像サイズに補完する処理が行われる。２Ｋ規格で符号化されたトレイラ部分は、アップサンプリングフィルタ１０で補完され、４Ｋ規格の画像データとして４Ｋ規格に適合したプロジェクタ２１に送られている。
【００３０】
制御部１３は、高解像度復号器３及び低解像度復号器４で復号されている圧縮画像データのパケットヘッダＨＤ及び復号時エラーを監視しており、ストリームが２Ｋ規格か４Ｋ規格かに応じて、またエラー情報ＥＲＲに応じて１フレームバッファ５からの画像フレームのタイミングに合わせてスイッチＳＷ７を切り換えている。
【００３１】
制御部１３は、低解像度復号器４が２Ｋ規格で符号化されたトレイラ部分を復号しているときにはスイッチＳＷ７をＣ端子にしている。このとき、制御部１３は、ヘッダ情報ＨＤから２Ｋ規格で符号化されたトレイラ部分から４Ｋ規格で符号化された本編部分に切り替わる時間がフレームｔであることを検出すると、低解像度復号器４で（ｔ＋１）フレームの復号が終了したタイミングでＣ側に倒していたスイッチＳＷ７をＡ側にする。１フレームバッファ５，６には少なくとも１フレーム分の容量が用意されているため、低解像度復号器４において（ｔ＋１）フレームの復号が終了するタイミングと同時に高解像度復号器３でも（ｔ＋１）フレームの復号が終了しており、１フレームバッファ５には、（ｔ＋１）フレームから始まる本編部分の画像データが格納されていることになる。そのため、制御部１３によってスイッチＳＷ７が切り換えられたときには、４Ｋ規格の画像データが１フレームバッファ５から出力され、２Ｋ画像データから４Ｋ画像データへの切換時に発生するノイズ、画像乱れ等を抑止し、シームレスに高解像度画像をプロジェクタ２１に送ることができる。
【００３２】
４Ｋ規格の画像データである本編部分から２Ｋ規格のトレイラ部分への切換時も同様である。制御部１３は、高解像度復号器３が４Ｋ規格で符号化されたトレイラ部分を復号しているときにはスイッチＳＷ７をＡ端子にしている。制御部１３は、ヘッダ情報ＨＤから４Ｋ規格で符号化されたトレイラ部分から２Ｋ規格で符号化された本編部分に切り替わる時間がフレームｓであることを検出すると、高解像度復号器３で（ｓ＋１）フレームの復号が終了したタイミングでＡ側に倒していたスイッチＳＷ７をＣ側にする。１フレームバッファ６には、（ｓ＋１）フレームから始まる本編部分の画像データが格納されていることになる。そのため、制御部１３によってスイッチＳＷ７が切り換えられたときには、２Ｋ規格の画像データが１フレームバッファ６がシームレスにプロジェクタ２１に出力される。
【００３３】
また、制御部１３は、高解像度復号器３及び低解像度復号器４での復号時エラー情報ＥＲＲを監視しているが、本編部分の画像データの復号中、例えば、高解像度復号器３においてフレームｕのエラーレートが基準値を超え、低解像度復号器４の同一フレームではエラーレートが正常であることを検出した場合、スイッチＳＷ７をＣ側に倒してフレームｕ以降、低解像度復号器４で復号されたデータを出力する。これにより、ノイズ、画像乱れ、輪郭ぼけ等をプロジェクタ２１に表示することなく本編の再生を続けることができる。この高解像度復号器３におけるエラーが復帰されてフレームｖで正常に戻った場合には、制御部１３は、フレームｖ以降、スイッチＳＷ７をＡ側に戻し、４Ｋ規格の画像データを高解像度復号器４で復号して出力する。
【００３４】
また、制御部１３は、高解像度復号器３と低解像度復号器４の両者において、フレームｙの復号時に致命的なエラーが発生したことを検出した場合、スイッチＳＷ７をＢに倒して、予めメモリ１１に用意された“しばらくお待ちください”等の画像を出力してその間に正常な復号処理を行うこともできる。
【００３５】
制御部１３によってスイッチＳＷ７がＡ側にされて、高解像度復号器３から４Ｋ規格の画像データが出力されているとき、低解像度復号器４では、高解像度復号器３とともに常に４Ｋ規格の画像データを含むストリームデータが復号されている。４Ｋ規格の画像データの低解像度復号器４における復号画像には、ＯＳＤ処理部１２でエラー情報ＥＲＲ、ワーニング情報、オーディオのレベルメータ表示等が付加される。２Ｋ規格化されＯＳＤ処理された画像データは、モニタ２２に出力されている。すなわち、モニタ２２で再生される画像データは、プロジェクタ２２で再生されている画像データであるため、その画像の状態（ステータス）を表す情報をともに表示することにより、映画館等ではプロジェクタ２１から上映されているコンテンツデータの状態をモニタ２２で監視することが可能になる。
【００３６】
また、近年、画像信号復号装置がスクリーンの数だけ用意され、複数のスクリーンで同一の映画コンテンツを時間差で上映するような映画施設が普及している。この場合は、高解像度に適合したモニタ２２を用意すればよい。このとき、各画像信号復号装置において低解像度復号器４で復号されＯＳＤ処理された画像データは、高解像度モニタに送られる。２Ｋ規格の低解像度復号器４で復号された４Ｋ規格の画像データは、アップサンプリングフィルタ１０を通過しなければ２Ｋサイズであるので、高解像度モニタ上で同時に分割表示することができる。例えば、４つのスクリーンをもつ映画館では、各画像信号復号装置からモニタ用の出力を高解像度モニタ２２の同一画面上で同時に表示することができて効率的であるとともに施設設計上のコスト低減にもなる。
【００３７】
以上説明したように、本発明の具体例として示す画像信号復号装置１によれば、４Ｋ規格の画像データと２Ｋ規格の画像データの切換を継ぎ目なく（シームレスに）行うことができ、高解像度と低解像度の両方の画像サイズ規格のフレームが含まれた圧縮画像データを復号し表示装置等で表示する際に、視聴者に違和感なく切換表示できる。また、画像信号復号装置１は、圧縮画像データを高解像度復号器３と低解像度復号器４の両方で常に同時に復号しているため、あるフレームに対して高解像度復号器３の復号時エラーが発生しても、低解像度復号器４で復号された画像データを瞬時に出力することでフレーム落ちやエラーフレームの表示を防止できるため、エラー耐性が向上する。また、画像信号復号装置は、高解像度復号器３と低解像度復号器４の両者ともに致命的なエラーが発生した場合であっても、メモリ１１に格納されたメッセージ画像を提示できるため、万一復号処理に不具合があっても視聴者の違和感を低減できる。
【００３８】
なお、上述の説明では、説明の便宜上、通常、本編部分が４Ｋ規格で符号化されており、トレイラ部分が２Ｋ規格で符号化されているとしたが、４Ｋ規格で符号化されたトレイラもあり得るし本編が２Ｋ規格で符号化されていてもよい。本発明は、２Ｋ規格と４Ｋ規格の切り換えが画質の遜色なくシームレスに実行できることを可能としたものであり、デジタルシネマにおける本編かトレイラかの切換に限定されるものではない。
【００３９】
また、本具体例では、画像信号復号装置１を用いてデジタルシネマにおける４Ｋ−２Ｋ間の切換について説明したが、これに限らず、ウェーブレット変換により作成された圧縮画像データを逆ウェーブレット変換で復号して画像データを得る復号器と、この画像データのサブバンド画像と同等の解像度が得られる復号器とを備える構成であれば、適用可能である。したがって、画像信号復号装置１は、ＭｏｔｉｏｎＪＰＥＧ−２０００にも対応可能である。
【００４０】
また、上述したように本具体例は、デジタル化された映画コンテンツの配信に適用した例であるため、デジタルシネマ再生システムとして考えた場合には、当然のことながら、音声信号復号装置が組み込まれる。この際、復号される画像データ（フレーム）と対応する音声データとの間は同期が取られ、上述した２Ｋ−４Ｋ切換に対応して適切な音声データが出力される。
【図面の簡単な説明】
【００４１】
【図１】本発明に係る画像信号復号装置を説明する構成図である。
【図２】ＪＰＥＧ２０００における階層化モード符号化を説明する模式図である。
【図３】従来の画像信号復号装置を説明する構成図である。
【符号の説明】
【００４２】
１    画像信号復号装置、  ２    入力端子、  ３    高解像度復号器、  ４    低解像度復号器、  ５，６    １フレームバッファ、  ７    スイッチＳＷ、  ８，９    出力端子、  １０    アップサンプリングフィルタ、  １１    メモリ、  １２    ＯＳＤ処理部、  １３    制御部、  ２１    プロジェクタ、  ２２    モニタ
【図１】
2006311327.tif 000003
【図２】
2006311327.tif 000004
【図３】
2006311327.tif 000005